(57)【特許請求の範囲】
【請求項１】
外周方向に旋回可能に支持された加熱ドラムを、該加熱ドラムの開口部からバーナーの火炎で加熱する加熱装置において、
加熱時に上記加熱ドラムの開口部の下辺側を塞ぐと共にバーナーと分離しており該バーナーの対応位置が開放された略半円形状の基板部と、該基板部の一側から上方に立ち上がる延出片部とからなる蓋板を設けてなることを特徴とする加熱装置。
【請求項２】
外周方向に旋回可能に支持された加熱ドラムを、該加熱ドラムの開口部からバーナーの火炎で加熱する加熱装置において、
加熱時に上記加熱ドラムの開口部の下辺側を塞ぐと共にバーナーと分離しており該バーナーの対応位置が開放された略半円形状の基板部と、該基板部の一側から上方に立ち上がる延出片部とからなる蓋板と、
該蓋板を加熱ドラムの開口部の下辺側を塞ぐ位置から該開口を開けるために開口から外れる位置に変位可能に支持する支持手段とを設けてなることを特徴とする加熱装置。
【請求項３】
蓋板が、加熱時の加熱ドラムの回転方向で加熱ドラムの開口縁に沿って延びる延出片部を設けてなることを特徴とする請求項１または２に記載の加熱装置。
【請求項４】
蓋板の支持手段が、加熱ドラムを支持する支持体または加熱ドラムを収納するケーシングに設けられていることを特徴とする請求項２または３に記載の加熱装置。
【請求項５】
蓋板の支持手段が、ケーシングに開閉可能に設けられて加熱ドラムの開口を塞ぐ開閉扉からなっていることを特徴とする請求項３に記載の加熱装置。
【請求項６】
加熱装置がアスファルト再生装置からなっていることを特徴とする請求項１から５に記載のいずれかの加熱装置。
【発明の詳細な説明】
【０００１】
【発明の属する技術分野】
この発明は、加熱ドラム内により多くの被加熱物を収納して加熱することができる加熱装置に関する。
【０００２】
【従来の技術】
従来、加熱装置、例えば一例としてのアスファルト再生装置は、ケーシング内に、外周方向に回転自在に軸支されて軸線方向に揺動可能に構成された加熱ドラムの前面開口部に対峙して、開閉扉がケーシング前面に配設されている。
そして上記開閉扉にバーナ受部が形成され、加熱ドラム内に剥離されたアスファルト舗装片等を収容してから、バーナ受部にバーナを装着して内部を加熱し、再度舗装材として使用できるようにアスファルト舗装片を加熱している。
この加熱ドラムは、図８および図９に示すように、加熱時にはほぼ水平に設定され、開口部の口縁部がドラムの底面より上に位置しているが、剥離された塊状のアスファルト片等の被加熱物をより多量に加熱するには、開口部からこぼれ落ちないように加熱ドラムの奥の方へ積み重ねて収容するしかない。
その場合、被加熱物は加熱ドラム内で奥に向かって急勾配で隆起しており、矢印で示すバーナーから放射される火炎の方向に対して傾斜する隆起面が略平行とならずに中途位置で交差してしまうため、バーナーで効率的に加熱することができない。
この問題点は、アスファルト再生装置に限らず、旋回する加熱ドラムにバーナーの火炎を放射して被加熱物を加熱する装置に共通の問題点であった。
【０００３】
【発明が解決しようとする課題】
この発明は、上記事情に鑑みて創案されたものであって、その主たる課題は、加熱ドラムの開口部の下辺側をを蓋板で覆って加熱することにより、加熱ドラム内により多くの被加熱物を収納して効率よく加熱することのできる加熱装置を提供することにある。
【０００４】
【課題を解決するための手段】
この発明は、前記課題を解決するために、請求項１の発明では、
外周方向に旋回可能に支持された加熱ドラムを、該加熱ドラムの開口部からバーナーの火炎で加熱する加熱装置において、
加熱時に上記加熱ドラムの開口部の下辺側を塞ぐと共にバーナーと分離しており該バーナーの対応位置が開放された略半円形状の基板部と、該基板部の一側から上方に立ち上がる延出片部とからなる、という技術的手段を講じている。
【０００５】
また、請求項２の発明では、
外周方向に旋回可能に支持された加熱ドラムを、該加熱ドラムの開口部からバーナーの火炎で加熱する加熱装置において、
加熱時に上記加熱ドラムの開口部の下辺側を塞ぐと共にバーナーと分離しており該バーナーの対応位置が開放された略半円形状の基板部と、該基板部の一側から上方に立ち上がる延出片部とからなる蓋板と、
該蓋板を加熱ドラムの開口部の下辺側を塞ぐ位置から該開口を開けるために開口から外れる位置に変位可能に支持する支持手段とを設けてなる、という技術的手段を講じている。
【０００６】
また、請求項３の発明では、
前記蓋板が、加熱時の加熱ドラムの回転方向で加熱ドラムの開口縁に沿って延びる延出片部を設けてなる、という技術的手段を講じている。
更に、請求項４の発明では、
蓋板の支持手段が、加熱ドラムを支持する支持体または加熱ドラムを収納するケーシングに設けられている、という技術的手段を講じている。
請求項５の発明では、
蓋板の支持手段が、ケーシングに開閉可能に設けられて加熱ドラムの開口を塞ぐ開閉扉からなっている、という技術的手段を講じている。
更に、請求項６の発明では、
加熱装置がアスファルト再生装置からなっている、という技術的手段を講じている。
【０００７】
上記のように構成されているので、蓋板は、加熱ドラムの加熱時にその開口部の下辺側を閉塞するため、加熱ドラムが旋回していても加熱ドラムの開口部の下辺側は常時、蓋板で閉塞されることになり、加熱ドラム内に被加熱物をより多く収納して加熱することができる。
また、加熱ドラム内では奥に向かって隆起する被加熱物の傾斜勾配がなだらかとなり、バーナーから放射される火炎の方向に対して傾斜する隆起面が略平行となって、加熱効率を高めることができる。
そして、旋回によって加熱ドラム内での隆起姿勢が旋回方向寄りに偏っても、蓋板に延出片部を設けることによって落下を防止することができる。
【０００８】
【発明の実施の形態】
以下に、この発明の加熱装置をアスファルト再生装置に適用した好適実施例について図面を参照しながら説明する。
図１から図６に示すアスファルト再生装置１は、加熱ドラム２と、該加熱ドラム２を収納するケーシング３と、該ケーシング３の前面で前記加熱ドラム２の開口の前方に設けられてフェンスとなる開閉扉部４と、該開閉扉部４に取り付けられたバーナーホルダー５と、上記フェンス４の下方に取り付けられた蓋板１０と、前記バーナーホルダー５に着脱自在に取り付けられるバーナー６と、上記フェンス４を変位させる駆動手段７とからなっている。
【０００９】
本実施例でケーシング３は、略箱型からなっており、前方の上部にはフェンスを兼ねる開閉扉部４が形成されている。
該開閉扉部４は多数の小孔が設けられて網目状となっており、上端が枢着Ｐ１されており、中央で上部４ａと下部４ｂに二分割され図示しないヒンジを介して屈曲可能に連結されており、加熱時には閉じてフェンスとなり、排出時には開いて加熱ドラムからの排出を妨げないようになっている。
なお、開閉扉部４の下方には下部が枢着されて、排出時には前に開いて下向きに傾斜して加熱ドラム２で加熱されたアスファルトを排出する際のシューターとして機能する下部扉８が設けられている。
【００１０】
次に、加熱ドラム２は、開口部２ａが本体断面より小径に設定されて中央に配置されているので、加熱ドラムが水平に横倒されると、開口部４ａの下辺は横倒時の加熱ドラムの底面より上方位置に配置されている。
そして、ケーシング３内に収納された加熱ドラム２の構造は特に限定されるものではないが、本実施例で加熱ドラム２は、ケーシング３内で加熱ドラム２がその外周方向に旋回自在となっていると共に上下方向に枢動可能に支持されている。
即ち、一例を挙げれば、図３に示すように、加熱ドラム２は、その外周を囲む保持枠２１に軸支されたローラ２２で支持され、加熱ドラム２の底部中央には外方へ突出する軸２５を保持枠２１に固設した釜旋回駆動モータＭ１に取付け、該釜旋回駆動モータＭ１の制御で加熱ドラム２を旋回自在とする。
【００１１】
また、上記保持枠２１は、左右に突出する枢軸２３を介してケーシング３に一体的に形成された外枠３ａに枢着されており、本実施例では保持枠２１から一体に延出したアーム２４に上下動用油圧シリンダＭ２の伸縮端が枢着されている。
このシリンダＭ２の基端は外枠３ａないしケーシング３に枢着されている。
従って、シリンダＭ２の伸縮によりアーム２４を介して保持枠２１と共に加熱ドラム２を上下に枢動させることができる。
これらの操作は、ケーシング３の正面側方に設けた操作パネル部分３１に配置されたスイッチ類Ｓを操作して行うことができる。
【００１２】
なお、上記構成に代えて枢軸２３に従動用の歯車やホイールを同軸に取付け、一方、外枠３ａないしケーシング３に回転モータを固定し、該回転モータに上記歯車やホイールに対応する駆動用の歯車やホイールを取付け、無端チェーンやベルトなどの伝動部材を介設して保持枠２１と共に加熱ドラム２を上下方向に傾動しうるようにしてもより。
これらの場合、保持枠２１ないし加熱ドラム２の傾動角は特に限定されるものではない、例えば１８０度反転させるものでもよい。
【００１３】
また、図示例の場合、前記開閉扉部４には、その上部４ａには中央に覗き窓４１が開口形成されており、その下部４ｂには一対の窓部４２が形成され、それぞれの窓部４２に略筒型からなるバーナーホルダー５が取り付けられており、バーナー６を着脱自在に保持しうるようになっている。
【００１４】
本実施例で上記開閉扉部４は、図示しない開閉扉部回動用モータによって開閉自在となっており、この開閉扉部回動用モータは、前記操作パネル３１に配置されたスイッチ類Ｓの１つにより制御される。
そこで、開閉扉部４がケーシング３の正面開口を塞ぐ使用位置にあるとき、上記スイッチＳを投入して、回動用モータを回転させ、使用位置から上方向に回動してケーシング３の天壁３２上の収納位置まで移動させることができる（図３参照）。
【００１５】
従って、使用時には図５に示すようにバーナーホルダー５にバーナー６を挿入して装着し、該バーナー６にはその接続管部６ａにガスボンベの導管（図示省略）が接続され加熱ドラム２の開口に向かって火炎を放射してアスファルトを再生や生産することができる。
そして、バーナー６による加熱終了後に、バーナー６を外し、スイッチＳを切り替えて開閉扉部駆動モータを回転させ、図２に示すように開閉扉部４の上部４ａを上向きに回動し、上部４ａに蝶着した下部４ｂを重なり合う折畳姿勢にしてケーシング３の天壁３２上の収納位置まで回動変位する。
【００１６】
ここで、前記開閉扉部４の下部４ｂの内側には、加熱ドラム２の開口部２ａの下辺側にアーム９を介して蓋板１０が取り付けられている。
本実施例では、上記アーム９は開閉扉部４の下部４ｂに着脱自在に取り付けられているので、不使用時には取り外すことができるが、一体に形成されるものであってもよい。
アーム９を一体とし、蓋板１０を着脱可能とする構成でもよい。
また、蓋板１０を開閉扉部４の下部４ｂに一体に形成する場合は、折畳時に蓋板１０が上部４ａと干渉しないように前記覗き窓４１に入り込むよう大きさを設定すればよい。
【００１７】
ここで第１実施例として示す蓋板１０は、略半円形状の基板部１０ａと、該基板部１０ａの一側から上方に立ち上がる延出片部１０ｂとからなっている。
基板部１０ａは、対峙するバーナーまたはバーナーの火炎を塞ぐことがないように、これに対応する部分は空けており、その上方の縁部の位置を限定している。
この上縁の形状は、図示例では直線に設定したが湾曲形状や波形など、特に限定されるものではなく、要するにバーナーまたはバーナーの火炎を妨げない大きさおよび形状であればよい。
【００１８】
次に、延出片部１０ｂは、加熱ドラム２の旋回方向が一定方向である場合にその旋回方向側から立ち上がる形状のものを用いている。
図示例の場合、蓋板１０は、加熱ドラム２の開口部２ａ内に僅かに入り込むように設定されているので、蓋板１０の外周縁は加熱ドラム２の開口部２ａの内周縁より僅かに小径となる大きさに設定されている。
上記実施例では、蓋板１０を加熱ドラム２の開口部２ａ内に嵌め込んで使用する場合を示したが、蓋板１０を上記開口部２ａの外側に接して、あるいは僅かに離した位置に保持して使用するものでもよい。
その場合は、蓋板の外周縁の形状は特に限定されず、他の操作に邪魔にならない形状であればよい。
【００１９】
図に示す蓋板１０’は、加熱ドラム２の加熱時の旋回方向が正逆いずれにも回転可能な場合であって、蓋板１０の延出片部１０ｂは左右両端側に一対に延出している。
これにより、加熱ドラム２が正逆いずれの方向に旋回する場合であっても、同じように使用することができる。
【００２０】
以上の構成からなっているので、使用時に、開閉扉部４を閉じることにより、内側に設けられた蓋板１０が加熱ドラム２の開口部２ａ内に僅かに入り込み、該開口部２ａの下辺側を塞ぐ。
そして、加熱時において、旋回する加熱ドラム２により、アスファルト片がその旋回方向に偏っても、、開閉扉部４に付設した蓋板１０により中のアスファルト片の下落を阻止することができる。
また、加熱ドラム内に収納されたアスファルト片の傾斜も大きくならないので、加熱に際してもバーナーの火炎をアスファルト片の表面にまんべんなく照射しながら混合することができ、熱効率が向上し、処理時間の短縮をすることができる。
【００２１】
前記実施例では、加熱装置にケーシングが設けられた場合を例示したがケーシングは無くてもよい。
その場合、加熱ドラムの支持フレームや支持機構に設けられたバーナー受部の支持部材（例えばアーム等）に蓋板を取り付ける構造であってもよい。
この支持部材は、加熱時には蓋板を加熱ドラムの開口部を塞ぐ位置に取付け、排出時には該開口部を開けるために外す着脱手段からなっているものでもよい。また、上記実施例では被加熱物の排出時には蓋板が変位する構造を例示したが、この発明では蓋板を固定位置に設けておき、加熱ドラムを変位させて被加熱物を排出する構造としてもよい。
その他、要するにこの発明の要旨を変更しない範囲で種々設計変更しうること勿論である。
【００２２】
【発明の効果】
この発明は以上のように構成されているので、加熱ドラム内に被加熱物を収納する場合に、開口部の下縁部より上方位置まで被加熱物を収納することができるので、加熱ドラム内で奥に向かってなだらかに隆起させることができ、バーナーから放射される火炎の方向に対してほぼ平行に近くバーナーで効率的に加熱することができる。
そして、被加熱物が加熱バーナーの旋回によって旋回方向に盛り上がっても蓋板で開口部を塞いでいるので、加熱された被加熱物が開口部から落下する虞れがない。
【図面の簡単な説明】
【図１】アスファルト再生装置の斜視図である。
【図２】アスファルト再生装置の縦断側面図である。
【図３】加熱ドラムの支持装置を示す側面図である。
【図４】加熱ドラムの開口部と蓋板を示す部分斜視図である。
【図５】加熱状態を説明する側面図である。
【図６】同正面図である。
【図７】蓋板の異なる実施例を示す正面図である。
【図８】従来装置の加熱状態を説明する側面図である。
【図９】同正面図である。
【符号の説明】
１        アスファルト再生装置
２        加熱ドラム
３        ケーシング
４        開閉扉部
５        バーナー受部
６        バーナー
９        アーム
１０      蓋板
【図１】
0004018800.tif 000002
【図２】
0004018800.tif 000003
【図３】
0004018800.tif 000004
【図４】
0004018800.tif 000005
【図５】
0004018800.tif 000006
【図６】
0004018800.tif 000007
【図７】
0004018800.tif 000008
【図８】
0004018800.tif 000009
【図９】
0004018800.tif 000010